(57)【要約】【課題】投写型表示装置の設置姿勢に関係なく、光源ランプを最適に冷却し、白化、黒化、寿命の低下、光源の輝度低下、破裂等の問題を防止し、投写型表示装置の信頼性を向上させる。【解決手段】光源ランプ２の光軸２ａと略直角の方向に配置された送風口６ａ、６ｂに回転軸８ｄを有する回動可能な導風板８ａ、８ｂが取り付けられ、導風板８ａ、８ｂと略対向する位置に１ヶ所以上の排気口７が設けられ、送風口６ａ、６ｂには冷却風を導く流路９が接続され、その流路９内に、投写型表示装置の設置姿勢により、流路、流量を切り替える弁１０が設けられ、投写型表示装置の設置姿勢により、流路を変え、光源ランプの上部を効果的に冷却する。【選択図】図１
2010066367.tif 000002
【特許請求の範囲】
【請求項１】
光源から出射された光で表示デバイスに表示された映像を投写する投写型表示装置において、光を出射する光源ランプと、前記光源ランプの光軸を中心軸とし、前記光源ランプから出射された光を反射する略円筒状の凹面鏡と、前記凹面鏡の開口部を覆う透明部材と、前記凹面鏡または前記凹面鏡と前記透明部材の間に設けられた送風口と、前記送風口に設けられ、前記光源ランプの光軸と略直角の回転軸を有し、前記回転軸を中心に回動可能な導風板とを備えたことを特徴とする投写型表示装置。
【請求項２】
前記回転軸が凹面鏡開口の投影空間内にあることを特徴とする請求項１記載の投写型表示装置。
【請求項３】
前記光源ランプの光軸は、投写方向の光軸に対して直交していることを特徴とする請求項１記載の投写型表示装置。
【請求項４】
前記送風口が、少なくとも２ヶ所に配置されていることを特徴とする請求項１記載の投写型表示装置。
【請求項５】
前記送風口が、前記光源ランプの光軸を中心に略直角方向に配置されていることを特徴とする請求項４記載の投写型表示装置。
【請求項６】
前記送風口と略対向する位置に排気口が少なくとも１ヶ所設けられていることを特徴とする請求項４または５記載の投写型表示装置。
【請求項７】
前記導風板は、投写型表示装置の設置姿勢により、２方向の回動停止位置を有することを特徴とする請求項１記載の投写型表示装置。
【請求項８】
前記導風板の一方向の停止位置は、投写型表示装置の設置姿勢により、前記光源ランプの上部方向に冷却風を導風する方向であることを特徴とする請求項７記載の投写型表示装置。
【請求項９】
前記導風板は、重力により、前記回転軸を中心に回動可能であることを特徴とする請求項７または８記載の投写型表示装置。
【請求項１０】
少なくとも２ヶ所の略直角方向に配置された送風口に接続する冷却風流路を設け、前記冷却風流路内に、少なくとも１つ以上の回動可能な弁を配置し、投写型表示装置の設置姿勢により、一方の送風口への流路を切り替え可能としたことを特徴とする請求項１記載の投写型表示装置。
【請求項１１】
前記弁は、重力により回動し、流路を切り替えることを特徴とする請求項１０記載の投写型表示装置。
【請求項１２】
前記弁を回動させる駆動回路を備え、前記駆動回路は投写型表示装置が設置された角度情報を元に、前記弁を回動させ流路を切り替えることを特徴とする請求項１０記載の投写型表示装置。
【請求項１３】
前記弁は、回転軸を中心に左右対称の形状とし、重量部は前記回転軸から離した位置であることを特徴とする請求項１１記載の投写型表示装置。
【請求項１４】
前記弁は、各送風口への流路毎に設けられていることを特徴とする請求項１０記載の投写型表示装置。
【発明の詳細な説明】
【技術分野】
【０００１】
本発明は、光源の発光体を冷却する冷却装置を備えたプロジェクタ等の投写型表示装置に関し、詳しくは様々な姿勢で設置される投写型表示装置であっても、常に光源ランプの高温部分を冷却できる投写型表示装置に係るものである。
【背景技術】
【０００２】
従来、プロジェクタ等の投写型表示装置は、液晶パネル等の表示デバイスに表示された映像を投射表示するための光を出射する光源ランプを備えており、この光源ランプ内には、水銀、希ガス、ハロゲン化金属等が封入されている。
【０００３】
このような投写型表示装置では、光源ランプの電極に所定の電圧を印加すると、放電アークが発生し、内部に封入されているガスが対流し始める。
【０００４】
この対流に流されて放電アークは、山なりのアーチ状になり、光源ランプ上部に近づき、光源ランプ上部の温度が高くなる。
【０００５】
光源ランプの温度が上昇しすぎると、白化、寿命の低下や破裂等の問題が発生する。また、逆に光源ランプの温度が低すぎると、黒化や光源の輝度低下等の問題が発生する。
【０００６】
そのため、光源ランプの上部をより効率的に冷却する方法が様々考えられており、通常、光源ランプの上部付近に向けて冷却風を吹き付けるようにしている。
【０００７】
しかしながら、投写型表示装置を床置きで使用する場合と、天井に取り付けて使用する場合では、光源ランプの上下方向が逆になる。
【０００８】
したがって、光源ランプの上部を効率よく冷却する構造を備えていても、設置姿勢により投写型表示装置の上下方向が反転した場合に、光源ランプの下側を重点的に冷却することになってしまい、光源ランプの温度が低下しすぎてしまう。
【０００９】
さらに、垂直上方向や下方向に投射する姿勢、または、それらの中間の姿勢で使用する場合、同様に、光源ランプの上部以外の所を冷やしすぎてしまい、黒化や光源の輝度低下を引き起こしてしまう。
【００１０】
このような場合、冷却を必要とする上部に対しては、逆に冷却不足になり、冷却を強化することになるため、さらに上記現象が悪化することになる。
【００１１】
この問題を解決するために、特許文献１〜３に開示されるように、装置の設置姿勢に合わせて導風板の角度を変えることにより、光源ランプの上部を効率的に冷却したり、複数の冷却風流路を備え、設置姿勢に合わせて流路を選択するなどの方法が考えられている。
【特許文献１】特開２００２−２９８６３９号公報
【特許文献２】特開２００５−２４７３５号公報
【特許文献３】特開２００７−７８７３６号公報
【発明の開示】
【発明が解決しようとする課題】
【００１２】
上記特許文献１の光源装置では、凹面鏡前面開口部側面付近に、光源の上部または下部へより多くの外気を送る風向制御板を設け、投写型表示装置が上下反転しても、光源上部を冷却できるようにしている。
【００１３】
しかしながら、側面方向から風を送っているために、光源ランプの上下の温度は最適になったとしても、左右の温度が上下の温度を上回ったり、下回ったりしてしまう。
【００１４】
また、特許文献２の光源装置では、凹面鏡の上下面に冷却風導入用開口部を設け、各冷却風導入開口部に冷却風通路を接続し、冷却通風路の入り口には自重により上下動するシャッタが設けられている。
【００１５】
しかしながら、凹面鏡の上下２ヶ所に光源の冷却用の流路を形成する必要があり、装置が大型化してしまう。
【００１６】
また、特許文献１、２とも投写型表示装置を上下反転した場合に、光源ランプの上部の温度が最適になったとしても、投写型表示装置が垂直上方または、垂直下方に投写される場合には、光源ランプの上部を冷却することができない。
【００１７】
また、特許文献３のプロジェクタ装置では、光源ランプへ向けて冷却空気を導入する２つの空気導入口が、光源ランプの中心軸を含み、かつ凹面鏡側壁と直交する平面を挟んで両側に開設されている。
【００１８】
しかしながら、一方向から冷却風が吹き付けられているため、光源ランプの左右の温度が上下の温度を上回ったり、下回ったりし、さらに、ある設置姿勢では、光源ランプの下部が冷えすぎるという課題を有している。
【００１９】
そこで、本発明は、このような課題を解決するためになされたものであり、簡単な構成で、設置姿勢に関係なく光源ランプの上部を効率的に冷却することができると共に、光源ランプの下側の過冷却を防止し、さらには、光源ランプの左右の温度も最適に冷却することができる投写型表示装置を提供することを目的とする。
【課題を解決するための手段】
【００２０】
上記課題を解決するために本発明の投写型表示装置は、光源から出射された光で表示デバイスに表示された映像を投写する投写型表示装置において、光を出射する光源ランプと、前記光源ランプの光軸を中心軸とし、前記光源ランプから出射された光を反射する略円筒状の凹面鏡と、前記凹面鏡の開口部を覆う透明部材と、前記凹面鏡または前記凹面鏡と前記透明部材との間に設けられた送風口と、前記送風口に設けられ、前記光源ランプの光軸と略直角の回転軸を有し、前記回転軸を中心に回動可能な導風板とを備えている。
【００２１】
また、前記送風口が、少なくとも２ヶ所に配置され、前記光源ランプの光軸を中心に略直角方向に配置されている。
【００２２】
また、前記送風口と略対向する位置に１ヶ所以上の排気口が設けられている。各導風板部には冷却風を導く流路が接続され、その流路内に、投写型表示装置の設置姿勢により回動し、前記送風口への流路を切り替える弁が設けられている。
【発明の効果】
【００２３】
本発明は、流路に設けられた回動可能な弁と、２ヶ所の送風口に設けられた回動可能な導風板という簡単な構成により、投写型表示装置の設置姿勢に関係なく、光源ランプの上部を効率的に冷却することができると共に、光源ランプの下側の過冷却を防止し、さらには、光源ランプの左右の温度も最適に冷却することができるため、白化、寿命の低下や破裂を防止すると共に、黒化や光源の輝度低下を防止することができる等の優れた効果が得られる。
【００２４】
また、一つのファンで、設置姿勢に関係なく冷却できるため、投写型表示装置の小型化が可能で、コストも安くでき、さらに、効率よく冷却できるため、低騒音化をはかることができるという優れた効果が得られる。
【発明を実施するための最良の形態】
【００２５】
以下、本発明の実施の形態について、図１から図５を用いて説明する。
【００２６】
（実施の形態１）
図１は本発明の実施の形態１における投写型表示装置に内蔵される光源部の概略構成を示すもので、図１（ａ）は断面斜視図、図１（ｂ）は導風部の断面、図１（ｃ）は導風板の動作説明図である。また、図２から図５は投写型表示装置の設置姿勢と冷却風の流れの関係を示す図で、それぞれ、（ａ）は投写型表示装置の設置姿勢、（ｂ）は各設置姿勢における弁の開閉状態、（ｃ）は各設置姿勢におけるランプ内の冷却風の流れを示している。
【００２７】
光源部１は、光源ランプ２と、光源ランプ２を収納すると共に光源ランプ２から出射された光を反射する略円筒状の凹面鏡３と、凹面鏡３の前面開口部を閉塞する透明のガラス部材４と、凹面鏡３とガラス部材４の間に配置された凹面鏡保持部材５とから構成される。
【００２８】
凹面鏡保持部材５には、送風口６ａ、６ｂ、排気口７が形成され、送風口６ａ、６ｂ部に、光源ランプ２の光軸２ａと略直角のでかつ凹面鏡開口の投影空間内に回転軸を有する回動可能な導風板８ａ、８ｂが取り付けられている。
【００２９】
送風口６ａ、６ｂは、光源ランプ２の光軸２ａを中心に略直角の方向に配置されている。排気口７は送風口６ａ、６ｂの中間点の対向する位置に開口している。つまり、送風口６ａ、６ｂから等距離の位置であり、排気口７は、送風口６ａ、６ｂの対向する位置にそれぞれ設けるようにしてもよい。
【００３０】
導風板８ａ、８ｂは重量部８ｃを有し、回転軸８ｄを中心に、常に重量部８ｃが下になるように回動する。
【００３１】
各送風口６ａ、６ｂには冷却風を導く流路９が接続され、その流路９内に、投写型表示装置の設置姿勢により、流路、流量を切り替える弁１０が、そして流路９の入り口９ａにはファン（図示せず）が配置されている。
【００３２】
弁１０も導風板８ａ、８ｂと同様に、重量部１０ａを有し、重力方向と垂直な軸を持つ支点１０ｂを中心に、常に重量部１０ａが下になるように回動する。
【００３３】
なお、冷却風の流れは矢印で示される。
【００３４】
また、１１は各設置姿勢における投射レンズ位置で、１１ａは投射レンズの光軸である。図２から図５の（ａ）と（ｂ）は同じ方向から見た図であり、図から分るように、投射レンズの光軸１１ａは、光源ランプ２の光軸２ａと直交している。
【００３５】
つまり、図２から図５のように投写型表示装置の設置姿勢が変っても、光源ランプ２の光軸２ａの方向は変らず、光軸２ａを中心に送風口６ａ、６ｂの位置が移動することになる。
【００３６】
以下、図２から図５を用いて、投写型表示装置の設置姿勢と冷却風の流れの関係について説明する。
【００３７】
投射レンズ位置１１が図２（ａ）になるような姿勢で投写型表示装置が設置された場合、図２（ｂ）に示すように、流路９内に設けられている弁１０は自重により回転し、送風口６ｂ方向の流路９を塞ぐため、ファンの風を流路９から送風口６ａの方向にのみ送るようになる。
【００３８】
そして、図２（ｃ）に示すように、送風口６ａに取り付けられている、回転軸８ｄを中心に回動可能な導風板８ａが、自重により回動し垂直下方向に垂れ下がった状態になるため、流路９を通ってきた風は凹面鏡３に流入し、ガラス部材４に沿って垂直上方向に導かれる。
【００３９】
そして凹面鏡３の内面上部に当たった風は、凹面鏡３の形状に沿って、光源ランプ２の上部方向に向かって流れ、光源ランプ２を冷却した後、排気口７を通って排出される。
【００４０】
次に、投射レンズ位置１１が図３（ａ）になるような姿勢で投写型表示装置が設置された場合、図３（ｂ）に示すように、流路９内に設けられている弁１０は自重により回転し、送風口６ａ方向の流路９を塞ぐため、ファンの風を流路９から送風口６ｂの方向にのみ送るようになる。
【００４１】
そして、図３（ｃ）に示すように、送風口６ｂに取り付けられている、回転軸８ｄを中心に回動可能な導風板８ｂが、自重により回動し垂直下方向に垂れ下がった状態になるため、流路９を通ってきた風は凹面鏡３に流入し、ガラス部材４に沿って垂直上方向に導かれる。
【００４２】
そして凹面鏡３の内面上部に当たった風は、凹面鏡３の形状に沿って、光源ランプ２の上部方向に向かって流れ、光源ランプ２を冷却した後、排気口７を通って排出される。
【００４３】
次に、投射レンズ位置１１が図４（ａ）になるような姿勢で投写型表示装置が設置された場合、図４（ｂ）に示すように、流路９内に設けられている弁１０は自重により回転し、送風口６ｂ方向の流路９を塞ぐため、ファンの風を送風口６ａの方向にのみ送るようになる。
【００４４】
そして、図４（ｃ）に示すように、送風口６ａに取り付けられている、回転軸８ｄを中心に回動可能な導風板８ａが、自重により回動するが、図４（ｃ）に示すように、回転軸８ｄが重量部８ｃよりも下方になるため、傾斜した状態になる。このため、流路９を通ってきた風は斜め方向に凹面鏡３に流入し、光源ランプ２の上部方向に向かって吹き付けられ、光源ランプ２を冷却した後、排気口７を通って排出される。
【００４５】
次に、投射レンズ位置１１が図５（ａ）になるような姿勢で投写型表示装置が設置された場合、図５（ｂ）に示すように、流路９内に設けられている弁１０は自重により回転し、送風口６ａ方向の流路９を塞ぐため、ファンの風を流路９から送風口６ｂの方向にのみ送るようになる。
【００４６】
そして、図５（ｃ）に示すように、送風口６ｂに取り付けられている、回転軸８ｄを中心に回動可能な導風板８ｂが、自重により回動するが、図５（ｃ）に示すように、回転軸８ｄが重量部８ｃよりも下方になるため、傾斜した状態になる。このため、流路９を通ってきた風は斜め方向に凹面鏡３に流入し、光源ランプ２の上部方向に向かって吹き付けられ、光源ランプ２を冷却した後、排気口７を通って排出される。
【００４７】
このように、投写型表示装置の設置姿勢によって弁１０および導風板８ａ、８ｂの方向が変り、常に冷却風が光源ランプ２の上部を冷却するように流れる。
【００４８】
また、弁１０は、自重により回動するようにしたが、投写型表示装置に設置した角度センサーにより、設置姿勢を検知し、その動作を制御する構造としても良い。
【００４９】
（実施の形態２）
図６は本発明の実施の形態２における投写型表示装置に内蔵される回転弁部の構成図である。光源ランプを冷却する構造、動作については実施の形態１と同様のため、省略する。
【００５０】
図において、流路１２内に設けられている弁１３は、流路１２及び重力方向と垂直な軸１３ａと、流量を切り替える役目をする壁面１３ｂと、軸１３ａから離れた位置に重心１３ｃを持っており、軸１３ａを中心に自重で回転するようになっている。
【００５１】
このようにすることで、実施の形態１では、流路９の入り口９ａから送風口６ａ、６ｂまでの距離が違うため、ファンの通風抵抗が異なり、冷却性能も異なってしまうが、弁１３の構造にすることで、流路１２の入り口１２ａから送風口６ａ、６ｂまでの距離が等しく、冷却性能も同等とすることができ、投写型表示装置の姿勢により、ファンの電圧を変えることなく光源ランプを最適に冷却することが可能となる。
【００５２】
このように軸１３ａから離れた位置に重心を置くことで、弁１３の回転動作を安定させることができる。
【００５３】
また、弁１３は、自重により回動するのではなく、投写型表示装置に設置した角度センサーにより、設置姿勢を検知し、その動作を制御する構造としても良い。
【００５４】
（実施の形態３）
図７は本発明の実施の形態３における投写型表示装置の設置姿勢と、内蔵される回転弁部の構成図を示し、図７（ａ）と（ｂ）、図７（ｃ）と（ｄ）が対応する。光源ランプを冷却する構造、動作については実施の形態１と同様のため、省略する。
【００５５】
図において、流路１４内に、流路１４及び重力方向と垂直な軸１５ａ、１６ａを持つ２つの弁１５、１６が設けられており、各弁はそれぞれ重量部１５ｂ、１６ｂを備えている。
【００５６】
投射レンズ位置１１が図７（ａ）に示す姿勢で投写型表示装置が設置された場合、図７（ｂ）のように、弁１５、１６は軸１５ａ、１６ａを中心に重量部１５ｂ、１６ｂが下になるように回転し、弁１５は流路１４を塞ぐことはなく、弁１６は流路１４を塞ぎ、ファンの風を送風口６ａの方向にのみ送るようになる。
【００５７】
投射レンズ位置１１が図７（ｃ）に示す姿勢で投写型表示装置が設置された場合、図７（ｄ）のように、弁１５、１６は軸１５ａ、１６ａを中心に重量部１５ｂ、１６ｂが下になるように回転し、弁１５は流路１４を塞ぎ、弁１６は流路１４を塞ぐことなく、ファンの風を送風口６ｂの方向にのみ送るようになる。
【００５８】
本実施の形態では、設置姿勢により、各送風口のみに風を送るようにしたが、２つの弁の形状を変えるなどすれば、両方の送風口に必要な割合で風を送ることも可能である。
【００５９】
このように各送風口毎に弁を設けることで、各送風口への風量割合を調節することが容易にでき、光源ランプを最適に冷却することが可能となる。
【００６０】
また、弁１５、１６は、重量部１５ｂ、１６ｂにより回動するのではなく、投写型表示装置に設置した角度センサーにより、設置姿勢を検知し、その動作を制御する構造としても良い。
【産業上の利用可能性】
【００６１】
本発明にかかる投写型表示装置は、投写型表示装置がいかなる姿勢で設置されても、光源ランプの上部を効率的に冷却することができると共に、光源ランプの下側の過冷却を防止し、さらには、光源ランプの左右の温度も最適に冷却することができるため、白化、寿命の低下や破裂を防止すると共に、黒化や光源の輝度低下を防止することが可能であり、投写型表示装置の信頼性を高めることに非常に有用である。また、一つのファンで、設置姿勢に関係なく冷却できるため、投写型表示装置の小型化が可能で、コストも安くでき、さらに、効率よく冷却できるため、投写型表示装置の低騒音化をはかることも可能である。
【図面の簡単な説明】
【００６２】
【図１】本発明の実施の形態１における投写型表示装置に内蔵される光源部の概略構成図
【図２】本発明の実施の形態１における投写型表示装置の設置姿勢と冷却風の流れの関係を示す図
【図３】本発明の実施の形態１における投写型表示装置の設置姿勢と冷却風の流れの関係を示す図
【図４】本発明の実施の形態１における投写型表示装置の設置姿勢と冷却風の流れの関係を示す図
【図５】本発明の実施の形態１における投写型表示装置の設置姿勢と冷却風の流れの関係を示す図
【図６】本発明の実施の形態２における投写型表示装置に内蔵される回転弁部の構成図
【図７】本発明の実施の形態３における投写型表示装置の設置姿勢と、内蔵される回転弁部の構成図
【符号の説明】
【００６３】
１  光源部
２  光源ランプ
３  凹面鏡
４  ガラス部材
５  凹面鏡保持部材
６ａ、６ｂ  送風口
７  排気口
８ａ、８ｂ  導風板
８ｃ、１０ａ、１５ｂ、１６ｂ  重量部
９、１２、１４  流路
９ａ、１２ａ  流路の入り口
１０、１３、１５、１６  弁
１０ｂ  支点
１１  投射レンズ位置
１３ａ、１５ａ、１６ａ  軸
１３ｂ  壁面
【図１】
2010066367.tif 000003
【図２】
2010066367.tif 000004
【図３】
2010066367.tif 000005
【図４】
2010066367.tif 000006
【図５】
2010066367.tif 000007
【図６】
2010066367.tif 000008
【図７】
2010066367.tif 000009